(57)【要約】【課題】  光源と電源装置が分離可能な照明装置において、光源と電源装置との接続が正常でないことを検出することができる照明装置を提供することである。【解決手段】  実施形態の照明装置は、光源接続端と発光素子とを有する光源部と；外部電源に接続するとともに光源接続端に接続される電源接続端と発光素子を点灯する光源点灯回路と光源点灯回路を制御する制御回路とを有する電源装置と；光源部の光源接続端と電源装置の電源接続端との接続状態を検出する接続検出回路と；を具備し、閾値を有するとともに閾値と接続状態検出回路の検出結果を比較し、比較結果に基づき、発光素子が所定の点灯制御を行うように光源点灯回路を制御する制御回路を持つ。【選択図】図１１
2013164976.tif 000002
【特許請求の範囲】
【請求項１】
光源接続端と、発光素子とを有する光源部と；
外部電源に接続するとともに、光源接続端に接続される電源接続端と、発光素子を点灯する光源点灯回路と、光源点灯回路を制御する制御回路とを有する電源装置と；
光源部の光源接続端と電源装置の電源接続端との接続状態を検出する接続検出回路と；
を具備し、
制御回路は、閾値を有するとともに閾値と接続状態検出回路の検出結果を比較し、比較結果に基づき、発光素子が所定の点灯制御を行うように光源点灯回路を制御することを特徴とする照明装置。
【請求項２】
接続検出回路は、光源部の光源接続端と電源装置の電源接続端との間の抵抗値を検出することを特徴とする請求項１記載の照明装置。
【請求項３】
制御回路は、閾値を有するとともに閾値と接続状態検出回路の検出結果を比較し、比較結果に基づき、発光素子の消灯または光出力低減が行われるように光源点灯回路を制御することを特徴とする請求項１または２記載の照明装置。
【請求項４】
光源部は、
発光素子に接続される発光素子接続端と、
発光素子接続端に接続される接続検出回路接続端とを有し、
接続検出回路は、接続検出回路接続端と光源接続端との間に接続されるとともに、光源部に設けられることを特徴とする請求項１ないし３のいずれか一記載の照明装置。
【発明の詳細な説明】
【技術分野】
【０００１】
本発明の実施形態は、照明装置に関する。
【背景技術】
【０００２】
光源と電源装置が分離可能な照明装置において、光源と電源装置とをコネクタなどの電気的接触を利用したもので接続する場合、コネクタの接続が正常でない時に接触面でのインピーダンスにより発熱・溶融・発火等の虞がある。
【０００３】
インピーダンスを検出することによりコネクタの接続状態を判断する場合、光源として例えば、ＬＥＤを直列に接続して用いた際には、ＬＥＤの順方向電圧のばらつきを考慮する必要があった。
【０００４】
しかしながら、従来の照明用電源装置、及び照明器具においては、振動により断続的にＬＥＤ負荷と照明用電源装置との接続が外れた場合に閃光を抑制することができたとしても、光源と電源装置との接続が正常でないことによるインピーダンスの変化を検出し、照明装置を適切に制御できない虞があった。
【先行技術文献】
【特許文献】
【０００５】
【特許文献１】特開２００７−２３４４１４号公報
【発明の概要】
【発明が解決しようとする課題】
【０００６】
本発明が解決しようとする課題は、光源部と電源装置が分離可能な照明装置において、光源部と電源装置との接続が正常でないことを検出することができる照明装置を提供することである。
【課題を解決するための手段】
【０００７】
実施形態の照明装置は、光源接続端と発光素子とを有する光源部と；外部電源に接続するとともに光源接続端に接続される電源接続端と発光素子を点灯する光源点灯回路と光源点灯回路を制御する制御回路とを有する電源装置と；光源部の光源接続端と電源装置の電源接続端との接続状態を検出する接続検出回路と；を具備し、閾値を有するとともに閾値と接続状態検出回路の検出結果を比較し、比較結果に基づき、発光素子が所定の点灯制御を行うように光源点灯回路を制御する制御回路を持つ。
【発明の効果】
【０００８】
本発明によれば、光源部と電源装置が分離可能な照明装置において、光源部と電源装置との接続が正常でないことを検出することができる
【図面の簡単な説明】
【０００９】
【図１】第１の実施例に係る照明装置を示す斜視図である。
【図２】同照明装置の背面側を示す斜視図である。
【図３】同照明装置の背面側を示す平面図である。
【図４】同照明装置の光源部を分解して示す斜視図である。
【図５】同照明装置において、図３のＹ−Ｙ線に沿って示す断面図である。
【図６】同照明装置において、図５のＡ部を示す拡大図である。
【図７】同照明装置の取付部材を天井面に取付けた状態を示す断面図である。
【図８】同照明装置の取付部材に光源部が支持された状態を示す断面図である。
【図９】同照明装置の拡散カバー及び導光板を取外し、前面側から見て示す平面図である。
【図１０】同照明装置の光源部から導出され光源接続端が接続された電線の配置関係を示す斜視図である。
【図１１】同照明装置の回路構成を示す構成図である。
【図１２】同照明装置の前フレーム及び拡散カバーを取外して示す平面図である。
【図１３】同照明装置の電源装置の点灯回路を示す説明図である。
【図１４】同照明装置の電源装置の回路動作を示すフローチャートである。
【発明を実施するための形態】
【００１０】
（第１の実施形態）
【００１１】
第１の実施形態の照明装置は、光源接続端と、発光素子とを有する光源部と；外部電源に接続するとともに、光源接続端に接続される電源接続端と、発光素子を点灯する光源点灯回路と、光源点灯回路を制御する制御回路とを有する電源装置と；光源部の光源接続端と電源装置の電源接続端との接続状態を検出する接続検出回路と；を具備し、制御回路は、閾値を有するとともに閾値と接続状態検出回路の検出結果を比較し、比較結果に基づき、発光素子が所定の点灯制御を行うように光源点灯回路を制御することを特徴とする。
（第２の実施形態）
【００１２】
第２の実施形態の照明装置は、第１の実施形態の照明装置において、接続検出回路は、光源部の光源接続端と電源装置の電源接続端との間の抵抗値を検出することを特徴とする。
（第３の実施形態）
【００１３】
第３の実施形態の照明装置は、第１または第２の実施形態の照明装置において、制御回路は、閾値を有するとともに閾値と接続状態検出回路の検出結果を比較し、比較結果に基づき、発光素子の消灯または光出力低減が行われるように光源点灯回路を制御することを特徴とする。
（第４の実施形態）
【００１４】
第４の実施形態の照明装置は、第１ないし第３のいずれか一記載の実施形態の照明装置において、光源部は、発光素子に接続される発光素子接続端と、発光素子接続端に接続される接続検出回路接続端とを有し、接続検出回路は、接続検出回路接続端と光源接続端との間に接続されるとともに、光源部に設けられることを特徴とする。
【００１５】
以下、実施形態の照明装置について図面を参照して説明する。
【実施例１】
【００１６】
本実施形態の照明装置は、装置取付面に設置された配線器具としての引掛けシーリングボディに取付けられて使用される形式であり、導光板を用いて例えば、室内の照明を行うものである。
【００１７】
以下、本発明の実施形態について図１乃至図１４を参照して説明する。図において電線等の配線接続関係は省略して示している場合がある。なお、同一部分には同一符号を付し、重複した説明は省略する。
【００１８】
図１乃至図５、図７、図８、図１１に示すように、照明装置１０００は、基本的に、取付部材１と、光源部２との２部材から構成されている。取付部材１には、電源装置３、取付部４としてのアダプタガイド、間接光光源部５及び複数の電気的補助部品が設けられた補助部品ユニット６が配設されている。また、光源部２は、発光部７、導光板８、フレーム部材９及び拡散カバー１０を備えている。
【００１９】
さらに、照明装置１０００は、装置取付面としての天井面Ｃに設置された引掛けシーリングボディＣｂに電気的かつ機械的に接続されるアダプタＡ及び光源部２の点灯状態を制御する赤外線リモコン送信器Ｒｃを備えている。このような照明装置１０００は、略正方形状の外観に形成され、前面側を光の照射面とし、背面側を天井面Ｃへの取付面としている。これらの構成要素について順次説明する。
【００２０】
取付部材１は、冷間圧延鋼板等の金属材料から略長方形状の平板状に形成された装置本体である。具体的にはシャーシであり、略中央部には、天井面Ｃに設置された引掛けシーリングボディＣｂ及びアダプタＡに対向する後述する取付部４が配置される略円形状をなす開口１１が形成されている。
【００２１】
また、取付部材１の長手方向の対向する一辺側の略中央部には、鍵状に折曲された係止受金具１２がねじ等の固定手段によって取付けられている。一方、他辺側における両端の角部には、略Ｌ字状に折曲されて前面側へ延出する一対の取付金具１３が同様に、ねじ等の固定手段によって取付けられている。
【００２２】
電源装置３は、図５に代表して示すように、回路基板と、この回路基板に実装された制御用ＩＣ、トランス、コンデンサ等の回路部品とを備えている。回路基板は、中央部の周囲を囲むように板状に形成されていて、その表面側に回路部品が実装されている。
【００２３】
回路基板には、アダプタＡ側が電気的に接続されて、アダプタＡを介して商用交流電源に接続される。したがって、電源装置３は、この交流電源を受けて直流出力を生成し、電線を介してその直流出力を発光部７に供給し、発光部７を点灯制御するようになっている。
【００２４】
このため、取付部材１の前面側には、図５、図７、図９及び図１０に示すように電源装置３と接続するための接続端として電源接続端Ｃｎ３が配設されている。この電源接続端Ｃｎ３は、略箱状の外形をなしており、一側面側には接続部として接続口Ｐが形成されている。
【００２５】
より詳しくは、接続口Ｐは、凹部状をなしていて、光源部２に接続するための接続端としての光源接続端Ｃｎ２が差し込まれて電気的に接続できるようになっている。この接続口Ｐは、前面側方向と略直交する方向、つまり、略水平方向に向けられているとともに、内側方向に向けて配設されている。
【００２６】
このような電源装置３は、図２及び図３の参照を加えて示すように、電源装置カバー３５に取付けられ覆われて、取付部材１の背面側に配置されるようになる。この場合、回路基板は、回路部品が前面側（図示上、下方側）に向けられて取付けられる。なお、回路基板の裏面側には、スイッチング素子や表面実装部品等の比較的高さ寸法の小さい部品を実装するようにしてもよい。
【００２７】
電源装置カバー３５は、冷間圧延鋼板等の金属材料によって略四角形の短筒状に形成され、側壁３５ａは、前面側に向かって拡開するように傾斜状をなしており、背面壁３５ｂの中央部には、開口３５ｃが形成されている。この電源装置カバー３５は、前面側のフランジが取付部材１に載置され、ねじ止めされて取付けられる。
【００２８】
また、電源装置カバー３５の背面側には、弾性部材３６が取付けられている。弾性部材３６は、ステンレス鋼等の材料からなる金属製のばね部材であり、電源装置カバー３５の各辺に対応して取付けられていて、一対の先端側が拡開するように背面側へ延出している。
【００２９】
弾性部材３６は、照明装置１０００が装置取付面としての天井面Ｃに取付けられた状態において、天井面Ｃとの間に弾性変形を伴って介在するように配設される部材であり、照明装置１０００を天井面Ｃに確実に保持する作用をなしている。
【００３０】
取付部４は、アダプタガイドであり、アダプタＡが挿通し係合する部材であり、照明装置１０００を天井面Ｃに取付けるための部材である。アダプタガイドは、図２、図３及び図５に示すように、略円筒状に形成されていて、中央部には、アダプタＡが挿通し、係合する円形状の係合口４１が設けられている。このアダプタガイドは、取付部材１の略中央部に形成された開口１１に対応して配設されている。
【００３１】
なお、取付部４は、必ずしもアダプタガイド等と指称される部材である必要はない。例えば、シャーシ等に形成される開口であってもよく、配線器具としての引掛けシーリングボディＣｂに対向し、アダプタＡが係合される部材や部分を意味している。要は、照明装置１０００を天井面Ｃに取付けるための部材や部分である。
【００３２】
間接光光源部５は、取付部材１の背面側に配設されていて、主として天井面Ｃを明るく照らす機能を有している。図２乃至図５に示すように、間接光光源部５は、取付部４の周囲に位置して複数個配設されており、基板５１と、この基板５１に実装された複数の発光素子５２とを備えている。基板５１は、略長方形状の平板に形成されており、発光素子５２は、この基板５１の長手方向に沿って直線状に並べられて実装されている。
【００３３】
この発光素子５２が実装された基板５１が前記電源装置カバー３５の側壁３５ａにおける４箇所に取付けられている。この場合、電源装置カバー３５は、略四角形に形成されており、基板５１は、その側壁３５ａにおける直線状の平坦面に取付けられているので、取付けが安定的に行われることとなる。
【００３４】
また、基板５１の取付部をなす側壁３５ａは、前面側に向かって拡開する傾斜状に形成されているため、基板５１は、斜め上方、つまり、天井面Ｃ方向へ向けられることとなり、発光素子５２から出射される光は、天井面Ｃ方向へ向かって効果的に照射されるようになる。
【００３５】
さらに、各間接光光源部５は、断面が背面側へ向かって拡開するような傾斜状に形成された透光性のカバー５３に覆われるようになっている。このため、照明装置１０００が天井面Ｃ取付けられた状態において、下方から照明装置１０００の側部を見た場合、電源装置カバー３５の背面側に取付けられた弾性部材３６を視認しにくくすることが可能となる。
【００３６】
発光素子５２は、ＬＥＤであり、表面実装型のＬＥＤパッケージであって、発光色が電球色（Ｌ）のものが用いられている。この発光素子５２は、電源装置３に接続されて点灯制御されるようになっている。
【００３７】
補助部品ユニット６は、取付部材１の他辺側の中央部に配設されている。補助部品ユニット６は、横長箱状のケース内にユニット基板及びこの基板に実装された複数の電気的補助部品を備えて構成されている。本実施形態における電気的補助部品は、リモコン信号受信部１０４、照明装置１０００が設置された照明空間の明るさを検出する光センサ１０５、光常夜灯およびチャンネル設定スイッチ等である。
【００３８】
次に、光源部２は、発光部７、導光板８、フレーム部材９及び拡散カバー１０を備えている。
【００３９】
発光部７は、図４乃至図６に示すように、基板７１と、この基板７１に実装された発光素子７２Ｎおよび７２Ｌとを備えている。
【００４０】
基板７１は、図４に代表して示すように、横長の長方形状に形成されていて、絶縁材であるガラスエポキシ樹脂（ＦＲ−４）の平板からなり、表面側には銅箔で形成された配線パターンが施されている。また、配線パターンの上に適宜レジスト層が積層されて形成されるようになっている。なお、基板７１の材料は、絶縁材とする場合には、セラミックス材料又は合成樹脂材料を適用できる。さらに、金属製とする場合は、アルミニウム等の熱伝導性が良好で放熱性に優れたべース板の一面に絶縁層が積層された金属製のべース基板を適用してもよい。
【００４１】
発光素子７２Ｎおよび７２Ｌは、ＬＥＤであり、表面実装型のＬＥＤパッケージである。このＬＥＤパッケージが基板７１の長手方向に沿って直線状に並べられて複数個実装され配設されている。ＬＥＤパッケージは、概略的にはセラミックスや合成樹脂で形成されたキャビティに配設されたＬＥＤチップと、このＬＥＤチップを封止するエポキシ系樹脂やシリコーン樹脂等のモールド用の透光性樹脂とから構成されている。
【００４２】
発光素子７２Ｌおよび７２Ｎには、発光色がそれぞれ電球色（Ｌ）のものと昼光色（Ｄ）のものとが用いられて、いわゆる白色のものが用いられており、これらが長手方向に沿って交互に直線状に並べられて配設されている。ＬＥＤチップは、青色光を発光するＬＥＤチップである。透光性樹脂には、蛍光体が混入されており、電球色（Ｌ）、昼光色（Ｄ）の白色系の光を出射できるようにするために、主として青色の光とは補色の関係にある黄色系の光を放射する黄色蛍光体や赤み成分を補うため赤色蛍光体が用いられている。なお、前記いわゆる白色には、昼光色（Ｄ）、昼白色（Ｎ）、白色（Ｗ）や電球色（Ｌ）等が含まれる。
【００４３】
なお、ＬＥＤは、ＬＥＤチップを直接基板７１に実装するようにしてもよく、また、砲弾型のＬＥＤを実装するようにしてもよく、実装方式や形式は、格別限定されるものではない。
【００４４】
このような発光部７の基板７１は、放熱部材としての取付板７３に取付けられるようになっている。取付板７３は、アルミニウムや亜鉛めっき鋼板等の熱伝導が良好な材料から作られており、横長で側面が略Ｃ型チャンネル形状に形成されている。この取付板７３の内側壁には、基板７１がねじ止め等によって、その裏面側が密着するように取付けられている。したがって、発光素子７２Ｎおよび７２Ｌは、基板７１を介して取付板７３と熱的に結合され、また、発光部７は、取付板７３に基板７１が取付けられてユニット化されている。
【００４５】
本実施形態では、主として図４に示すように、このユニット化された発光部７が４個用いられており、導光板８の各辺に対応して配設されるようになっている。また、ユニット化された発光部７相互は、コネクタによって電気的に接続されている。なお、このユニット化された発光部７は、導光板８の対向する二辺に配設してもよく、適宜設計に応じて選択することができる。
【００４６】
このような放熱部材としての取付板７３は、図２及び図３に代表して示すように、取付部材１の外側に位置して外部へ露出するように配設される。つまり、各取付板７３は、取付部材１を内側にして取付部材１の周囲を囲むように四角形状をなして配設される。
【００４７】
さらに、図２、図３、図５、図９及び図１０に示すように発光部７の一端からは電線によって導出された光源部２の接続端としての光源接続端Ｃｎ２が設けられるようになっている。
【００４８】
具体的には、光源接続端Ｃｎ２は、発光部７における基板７１を介して発光素子７２Ｎおよび７２Ｌと電気的に接続されており、四角形状をなす取付部材１の角部近傍、換言すれば、四角形状をなす導光板８の角部近傍から取付部材１の長手方向の内側に沿う方向に電線によって導出されている。光源接続端Ｃｎ２は、略直方体形状に形成され、前方に突出した挿入部を備えている。挿入部は、電源接続端Ｃｎ３の接続口Ｐに差し込まれる部分であり、この光源接続端Ｃｎ２を電源接続端Ｃｎ３に差し込むことにより電気的接続がなされる。
【００４９】
電源接続端Ｃｎ３は、このような光源接続端Ｃｎ２との関係では、電源接続端Ｃｎ３の接続口Ｐが光源接続端Ｃｎ２の導出方向と対向しない方向に向けられて配設されていることとなる。つまり、電源接続端Ｃｎ３の接続口Ｐは、光源接続端Ｃｎ２の導出方向と正対せず、遠ざかる方向に向けられて配設されている。
【００５０】
このような構成により、光源接続端Ｃｎ２を電源接続端Ｃｎ３に接続した状態では、光源接続端Ｃｎ２の電線は、導出端から所定長の部分は、取付部材１の内側に沿い、以降電源接続端Ｃｎ３の周りを巻回するように方向付けされて迂回した形態が形成されるようになる。したがって、長尺状の電線は、不用意にはみ出すことなく、装置内に収容され保持される。
【００５１】
また、前記取付部材１の角部近傍には、接続検出回路１００が設けられている。この接続検出回路１００は、光源接続端Ｃｎ２と電源接続端Ｃｎ３との接続状態を検出し、接続が不完全な場合は、発光部７への電力の供給を停止する機能を有している。
【００５２】
接続検出回路１００は、回路基板１０１と、この回路基板１０１に実装された回路部品としての電圧検出用抵抗Ｒ２を備えており、金属製の箱状のケースに覆われて収容されている。さらに、電気的には、発光部７と光源接続端Ｃｎ２または電源接続端Ｃｎ３との間に介在して接続されている。
【００５３】
このように接続検出回路１００を取付部材１の角部近傍に配設し、また、光源接続端Ｃｎ２を角部近傍から電線によって導出するようにしたので配線が簡素化できる効果が期待できる。
【００５４】
取付板７３の対向する一辺側の中央部には、鍵状に折曲された係止金具７５が内側に向けてねじ等の固定手段によって取付けられている。一方、取付板７３の他辺側には、一対の取付金具７６がねじ等の固定手段によって取付けられている（図４参照）。
【００５５】
このような係止金具７５及び取付金具７６は、前述の取付部材１に設けられた係止受金具１２及び取付金具１３と対向するように配設されており、詳細を後述するように係止受金具１２及び取付金具１３に係止、固定されるようになっている。
【００５６】
なお、本実施形態においては、これら係止受金具１２及び取付金具１３、係止金具７５及び取付金具７６によって、取付部材１と光源部２との係止結合手段が構成されている。
【００５７】
導光板８は、アクリル樹脂等の透過率の高い材料を用いて多角形状に形成されている。具体的には、四角形状の平板状に形成され、背面側の全面には光を拡散する多数の白色の反射ドットからなるドットパターンが印刷によって形成されているとともに反射シートが設けられている。さらに、前面側の全面には、拡散シートが設けられている。また、この導光板８の外周部である四角形状の各辺の側端面は、発光素子７２Ｎおよび７２Ｌから出射される光が入射して導光板８内を進行する光入射端面８１として機能するようになっている。
【００５８】
このような導光板８の光入射端面８１には、発光部７の基板７１が配設されるようになる。つまり、主として図６に示すように、導光板８の光入射端面８１に光が入射するように、複数の発光素子７２Ｎおよび７２Ｌが基板７１に直線状に並べられて配設されるようになる。また、導光板８は、取付部材１の前面側を取付部４を含んで覆うようになる。
【００５９】
フレーム部材９は、光源部２の外周部を構成する部材であり、外フレーム９１、前フレーム９２及び透光性フレーム９３を備えて構成されている。外フレーム９１は、ＡＢＳ樹脂やポリカーボネート等の合成樹脂材料から作られていて、起立する側壁を有して略正方形状の枠状に形成されている。前フレーム９２は、白色を呈する合成樹脂材料から作られていて、板状に略正方形状の枠状に形成されている。
【００６０】
また、透光性フレーム９３は、アクリル樹脂等の透光性を有する材料によって同様に、略正方形状の枠状に形成されていて、図６に示すように、外フレーム９１と前フレーム９との間に介在するように配設されている。この透光性フレーム９３は、導光板８から放射される光を導光して光源部２の側方を明るくする機能を有している。これらフレーム部材９は、詳細な構成を省略する取付金具によって取付板７３側に取付けられるようになっている。
【００６１】
拡散カバー１０は、アクリル樹脂等の透光性を有する材料に拡散処理がなされて略正方形状に形成されていて、導光板８の前面側を覆うように配設されている。
【００６２】
また、図５、図６および図１２に示すように、導光板８の前面側（光の照射面側）であって外周縁部には、拡散部材８５が配設されるようになっている。この拡散部材８５は、断面が略三角形状で細長状をなしていて、アクリル樹脂等の透光性を有する材料に拡散処理が施されて形成されている。この拡散部材８５を導光板８の外周縁部に配設することにより、導光板８の光入射端面８１の部分に生じやすい輝度むらや色むらを抑制することが可能となる。
【００６３】
より詳しくは、主として図６及び図１２に示すように、発光素子７２Ｎおよび７２Ｌは、基板７１の長手方向に沿って直線状交互に並べられて複数個実装され配設されている。この発光素子７２Ｎおよび７２Ｌから出射される光が導光板８の入射端面８１から導光板８内に入射される。
【００６４】
このとき、図１２の矢印で示すように、発光素子７２Ｎおよび７２Ｌから出射される光は、指向性が強いことから隣接する発光素子７２Ｎおよび７２Ｌ相互から出射される光が入射端面８１の近傍では、その広がりが狭く、混光が良好に行われにくいという現象が生じる。このため、導光板８における入射端面８１の近傍では、輝度むらや色むらが発生する場合がある。
【００６５】
実施例１においては、導光板８の入射端面８１の近傍に拡散部材８５を配設することにより、輝度むらや色むらを外観上軽減することが可能となる。つまり、導光板８の入射端面８１の近傍から出射される光は、拡散部材８５によって拡散されるため、輝度むらや色むらを緩和して均一化することが可能となる。また、この場合、導光板８における発光面積の減少を伴うことを回避できる。
【００６６】
さらに、拡散部材８５は、光の照射方向に向かって拡がる傾斜面８５ａを有して略三角形状に形成されているため、この傾斜面８５ａによって輝度の自然な連続性を確保し得るようになる。
【００６７】
アダプタＡは、図５に示すように、天井面Ｃに設置された引掛けシーリングボディＣｂに、上面側に設けられた引掛刃によって電気的かつ機械的に接続されるもので略円筒状をなし、周壁の両側には一対の係止部Ａ１が、内蔵されたスプリングによって常時外周側へ突出するように設けられている。この係止部Ａ１は下面側に設けられたレバーを操作することにより没入するようになっている。
【００６８】
また、図７に示すように、このアダプタＡからは、前記電源装置３へ接続する電源コードが導出され、その先端部には電源コネクタＣｎ１が接続されている。この電源コネクタＣｎ１は、電源装置３側に設けられた給電コネクタＣｎ０に接続されるようになっている（図９及び図１０参照）。
【００６９】
赤外線リモコン送信器Ｒｃは、例えば、周波数３８ｋＨｚのパルス状の特定のコード化された赤外線リモコン制御信号を送信するもので、全光点灯ボタン、調光点灯ボタン、常夜灯ボタンや消灯ボタン等が設けられている。このリモコン送信器Ｒｃを補助部品ユニット６、すなわち、リモコン信号受信部１０４に向けて操作することによって発光部７における発光素子７２Ｎおよび７２Ｌの発光状態、つまり、全光点灯、調光点灯、消灯等の制御を行うことができる。
【００７０】
このように構成された照明装置１０００において、放熱部材としての取付板７３は、取付部材１の外側に位置して外部へ露出するように配設されている。したがって、取付板７３は、取付部材１に覆われることなく外気に触れるようになり、取付板７３は主として対流により冷却され、放熱効果を高めることが可能となる。加えて、取付部材１は、小形に形成されているので、軽量化が可能となる。
【００７１】
なお、この場合、取付板７３は、その全周に亘って露出するように構成されていなくてもよく、部分的に露出されている場合であってもよい。つまり、取付板７３の一部が取付部材１によって覆われる場合を許容するものである。また、導光板８の光入射端面８１は、発光素子７２Ｎおよび７２Ｌと対向して位置し、発光素子７２Ｎおよび７２Ｌから出射される光が入射するようになっている。
【００７２】
次に、上記のように構成された照明装置１０００の天井面Ｃへの取付手順について、図５、図７及び図８を参照して説明する。
【００７３】
まず、図７に示すように天井面Ｃに引掛けシーリングボディＣｂが設置されている。また、この引掛けシーリングボディＣｂには、アダプタＡが電気的かつ機械的に接続されている。
【００７４】
この状態で図に示すように、取付部材１側をアダプタＡに取付ける。具体的には、取付部材１における取付部４としてのアダプタガイドの係合口４１をアダプタＡに合わせながら、アダプタＡの係止部Ａ１がアダプタガイドの係合口４１に確実に係合するまで取付部材１を下方から手で押し上げて取付け操作を行う。この状態でアダプタＡから導出されている電源コネクタＣｎ１を電源装置３側の給電コネクタＣｎ０に接続する。
【００７５】
次いで、この取付部材１に光源部２側を取付ける。図８に示すように、光源部２側に設けられた係止金具７５を取付部材１側の係止受金具１２に引掛けて光源部２を支持するとともに、取付部材１側と光源部２側とをチェーンＣｈで繋いで光源部２を吊下げ状態で支持する。チェーンＣｈは、光源部２の落下を防止して安全性を高める機能を有している。
【００７６】
その後、発光部７の一端から導出されている光源接続端Ｃｎ２を取付部材１の前面側に配設された電源装置３側の電源接続端Ｃｎ３に接続する。この場合、光源接続端Ｃｎ２は、発光部７から余裕のある長さをもって電線によって導出されているので、電源装置３側の電源接続端Ｃｎ３への接続作業が容易となるとともに光源接続端Ｃｎ２や電線にかかる張力を軽減することができる。このように、取付部材１側と光源部２側とは、光源接続端Ｃｎ２及び電源接続端Ｃｎ３によって電気的に接離可能に接続されるようになっている。
【００７７】
続いて、光源部２を係止金具７５側を支点として回動し、取付部材１の前面側を覆うように閉塞する。この状態で、取付部材１に設けられた取付金具１３の貫通孔を貫通し、光源部２側に設けられた取付金具７６のねじ穴にねじ込まれる取付ねじＳによって光源部２は、取付部材１の前面側に確実に取付けられる。この状態が取付完了状態である（図５参照）。
【００７８】
照明装置１０００の取付状態では、アダプタＡが電源装置カバー３５の開口３５ｃを挿通し、アダプタＡの係止部Ａ１がアダプタガイドの係合口４１に係止され、電源装置カバー３５の背面側に設けられた弾性部材３６が弾性変形し、電源装置カバー３５の背面側と天井面Ｃとの間に圧縮状態で介在されるようになる。したがって、照明装置１０００は、アダプタＡにしっかりと係合し、安定して取付状態が保持される。
【００７９】
また、照明装置１０００を取外す場合には、概略的には、前記取付ねじＳを取外し、光源部２を係止金具７５側を支点として開放方向に回動し、次いで、光源部２を取付部材１から取外し、取付部材１の前面側を開放する。そして、アダプタＡに設けられているレバーを操作してアダプタＡの係止部Ａ１の係合を解くことにより取付部材１を取外すことができる。このように光源部２は、取付部材１の前面側に開閉可能に、かつ着脱可能に取付けられるようになっている。
【００８０】
以上のような照明装置１０００の取付状態において、光源接続端Ｃｎ２の電線は、不用意にはみ出すことなく、装置内に収容され保持され、配線処理を円滑に行うことができる。
【００８１】
また、電源装置３は、取付部材１側に配設されている。このため、取付部材１に結合される光源部２側の重量が軽減され、係止結合手段を構成する係止受金具１２及び取付金具１３、係止金具７５及び取付金具７６にかかる荷重負担が軽減され強度的に有利となる。
【００８２】
また、以上のような照明装置１０００の取付状態において、電源装置３は、取付部材１側に配設されている。このため、取付部材１に結合される光源部２側の重量が軽減され、係止結合手段を構成する係止受金具１２及び取付金具１３、係止金具７５及び取付金具７６にかかる荷重負担が軽減され強度的に有利となる。
【００８３】
照明装置１０００の取付状態において、例えば、赤外線リモコン送信器Ｒｃを操作して電源装置３に電力が供給されると、基板７１を介して発光素子７２Ｎおよび７２Ｌに通電され、各発光素子７２Ｎおよび７２Ｌが電源装置３によって点灯制御される。発光素子７２Ｎおよび７２Ｌから出射された光は、導光板８の光入射端面６１へ入射し、この入射した光は、導光板８内で全反射して導光板８全体に広がるとともに、背面側に形成された反射ドットからなるドットパターンや反射シートによって反射されて拡散され、さらに、拡散カバー１０によって拡散されて均質化された光が前面側から放射される。
【００８４】
導光板８は、取付部材１の前面側を取付部４を含んで覆うようになっている。つまり、導光板８には、アダプタＡの操作等を可能とするための中央部の開口が形成されていない。このため、導光板８の中央部に暗部を生じることなく、発光面の輝度を均一化することができ、良好な配光状態を実現できるとともに、明るさ感を向上することが可能となる。
【００８５】
導光板８の入射端面８１の近傍に拡散部材８５が配設されているので、入射端面８１の近傍における輝度むらや色むらを外観上軽減することが可能となる。
【００８６】
また、導光板８から照射される光は、直接拡散カバー１０から前面側へ放射されるとともに拡散部材８５によって拡散されて前面側へ放射される。一方、拡散部材８５によって拡散される光の一部は、透光性フレーム９３に導光され、透光性フレーム９３から主として光源部２の側方に照射される。このため、前面側の発光面の面積を拡大でき、明るさ感の向上を図ることができる。
【００８７】
さらに、導光板８は、取付部材１の前面側を取付部４を含んで覆うようになっている。つまり、導光板８には、アダプタＡの操作等を可能とするための中央部の開口が形成されていない。このため、導光板８の中央部に暗部を生じることなく、発光面の輝度を均一化することができ、良好な配光状態を実現できるとともに、明るさ感を向上することが可能となる。
【００８８】
仮に、導光板８の中央部に開口が形成される場合、開口は光が導光されない部分であり、この部分が暗くなり、中央部が暗部となる現象が生じてしまうこととなる。
【００８９】
また、間接光光源部５に通電されると、各発光素子５２が点灯し、発光素子５２から斜め上方に出射された光は、透光性のカバー５３を透過し、取付部４の周囲から放射されるように、主として天井面に照射される。したがって、天井面が明るくなり、空間の明るさ感を向上させることができる。
【００９０】
発光部７における各発光素子７２Ｎおよび７２Ｌが点灯されると、各発光素子７２Ｎおよび７２Ｌから熱が発生する。各発光素子７２Ｎおよび７２Ｌから発生した熱は、主として基板７１裏面側から放熱部材である取付板７３に伝導され放熱される。この場合、取付板７３は、取付部材１よりも外側に位置して外部へ露出するように配設されているので、外気が作用して冷却されやすく、効果的に放熱されるようになる。
【００９１】
次に、実施例１の照明装置１０００の電源装置３の回路構成および動作について説明する。
【００９２】
本発明の実施例１の照明装置１０００の電源装置３の回路構成について図面を参照して説明する。図１１は実施例１の照明装置１０００の電源装置３の回路構成を示す構成図、図１３は、実施例１の白色光源点灯回路１０７、電球色光源点灯回路１０８、間接光光源点灯回路１０９の回路図である。また、同一部分には同一符号を付し、重複した説明は省略する。
【００９３】
本発明の実施例１の電源装置３は、電源回路１００、制御回路用電源回路１０３、リモコン信号受信部１０４、光センサ１０５、白色光源点灯回路１０７、電球色光源点灯回路１０８、間接光光源点灯回路１０９および制御回路１１２を有している。
【００９４】
電源回路１００は、スイッチＳＷ、引掛けシーリングボディＣｂ、電源コネクタＣｎ１および給電コネクタＣｎ０を介して外部電源に接続され、外部電源が交流電源である場合には、交流電力を直流電力に変換する。スイッチＳＷは、より具体的には建物の壁等に設けられる壁スイッチ等である。電源回路１００は、ダイオードを用いた整流器および整流器の出力側に整流器に対して並列に接続される平滑コンデンサ等を有する一般的な回路構成を備えている。また、電源回路１００は、力率改善回路１０２ａを有しており、力率改善回路１０２ａは一般的な回路構成を備えている。
【００９５】
電源回路１００には、制御回路用電源回路１０３、白色光源点灯回路１０７、電球色光源点灯回路１０８および間接光光源点灯回路１０９がそれぞれ接続される。制御回路用電源回路１０３、白色光源点灯回路１０７、電球色光源点灯回路１０８および間接光光源点灯回路１０９は、電源回路１００よりそれぞれ直流電力の供給を受ける。制御回路用電源回路１０３は、後述する制御回路１１２に電源を供給する。
【００９６】
白色光源点灯回路１０７には、例えば相関色温度が４６００〜７１００Ｋ程度で、ピーク波長４４０〜４７０ｎｍ、半値幅１０〜３０ｎｍの青色光によって励起され、ピーク波長５００〜６００ｎｍ、半値幅１００〜２００ｎｍの白色光を発光する発光素子７２Ｎが接続される。発光素子７２Ｎは、白色光源点灯回路１０７により点灯される。
【００９７】
電球色光源点灯回路１０８には、例えば相関色温度が２５００〜３２００Ｋ程度で、ピーク波長４４０〜４７０ｎｍ、半値幅１０〜３０ｎｍの青色光によって励起され、ピーク波長５５０〜６５０ｎｍ、半値幅１００〜２００ｎｍの電球色光を発光する発光素子７２Ｌが接続される。発光素子７２Ｌは、電球色光源点灯回路１０８により点灯される。
【００９８】
間接光光源点灯回路１０９には、例えば相関色温度が２５００〜３２００Ｋ程度で、ピーク波長４４０〜４７０ｎｍ、半値幅１０〜３０ｎｍの青色光によって励起され、ピーク波長５５０〜６５０ｎｍ、半値幅１００〜２００ｎｍの電球色光を発光する発光素子５２が接続される。発光素子５２は、間接光光源点灯回路１０９により点灯される。
【００９９】
発光素子７２Ｎ、７２Ｌ、５２の色温度は、単体の光源により得てもよいし、色度の異なる複数の光源の発光を加法混光して得るようにしてもよい。複数の光源を用いて所定色温度を得る場合、その種類は同種および異種の組み合わせのいずれであってもよい。また、発光素子７２Ｎ、７２Ｌ、５２は、その数が特段限定されないので、１個および任意の複数個のいずれかを適宜用いることができる。そして、それぞれの発光素子７２Ｎ、７２Ｌ、５２の数が等しくてもよいし、等しくなくてもよい。なお、発光素子７２Ｎ、７２Ｌは、発光部７を構成し、発光素子５２は、間接光光源部５を構成している。
【０１００】
白色光源点灯回路１０７、電球色光源点灯回路１０８および間接光光源点灯回路１０９の具体的な回路方式は、本実施例において特段限定されず、例えば、図１３に示すように、光源の種類に応じた適当な回路を採用することができる。本実施例において、発光素子５２、７２Ｎおよび７２Ｌを用いているため、白色光源点灯回路１０７、電球色光源点灯回路１０８および間接光光源点灯回路１０９には、直流点灯方式を用いることができ、より具体的にはＤＣ−ＤＣコンバータ、例えば降圧チョッパを定電流制御する回路構成を採用することができる。この回路構成により、回路効率が高くなるとともに、制御が容易になる等の利点がある。
【０１０１】
降圧チョッパを定電流制御する回路構成は、例えば図１１における白色光源点灯回路１０７、電球色光源点灯回路１０８および間接光光源点灯回路１０９は、図１３に示すように出力コンデンサＣ、インダクタＬおよびスイッチング素子Ｑの直列回路を電源回路１００の出力端間に接続して、スイッチング素子Ｑのオン時に電源回路１００から直線的に増加する増加電流を流してインダクタＬに電磁エネルギーを蓄積する。そして、ダイオードＤおよび出力コンデンサＣの直列部分をインダクタＬに並列接続して閉回路を形成し、スイッチング素子Ｑのオフ時にこの閉回路に直線的に減少する減少電流をインダクタＬから流出させる。以上説明したインダクタＬへの電磁エネルギーの蓄積と流出を繰り返すことで出力コンデンサＣの両端間に降圧された直流電圧を出力する。降圧チョッパの出力端となる出力コンデンサＣの両端に発光素子５２、７２Ｎおよび７２Ｌが並列に接続される。
【０１０２】
白色光源点灯回路１０７、電球色光源点灯回路１０８および間接光光源点灯回路１０９には、スイッチング素子Ｑ、インダクタＬおよび出力コンデンサＣの直列回路に流れる増加電流およびインダクタＬ、出力コンデンサＣおよびダイオードＤの閉回路の減少電流がともに流れる回路部分に電流検出回路１０７ａ、１０８ａ、１０９ａが直列に挿入されていて、電流値が検出される。また、電流検出回路１０７ａ、１０８ａ、１０９ａは、出力コンデンサＣの端子電圧を検出できるように構成されている。電流検出回路１０７ａ、１０８ａ、１０９ａの検出値は制御回路１１２に入力され、電流検出回路１０７ａ、１０８ａ、１０９ａから入力される検出値に基づいて制御回路１１２はスイッチング素子Ｑを制御する。なお、制御回路１１２は制御回路用電源回路１０３により電源を供給されている。
【０１０３】
また、白色光源点灯回路１０７、電球色光源点灯回路１０８および間接光光源点灯回路１０９の出力電圧を検出するために、出力コンデンサＣに並列に電圧検出回路１０７ｂ、１０８ｂ、１０９ｂがそれぞれ接続される。電圧検出回路１０７ｂ、１０８ｂ、１０９ｂの検出値は制御回路１１２に入力され、電圧検出回路１０７ｂ、１０８ｂ、１０９ｂから入力される検出値に基づいて制御回路１１２はスイッチング素子Ｑを制御する。
【０１０４】
制御回路１１２は、後述するリモコン信号受光部１０４または光センサ１０５が送出する信号に基づき、光源部２および間接光光源部５を調光制御する。また、光源部２の発光色の異なる発光素子７２Ｎおよび７２Ｌの光出力の比率を変化させることにより、光源部２の光源色を変化させる、すなわち調色制御を行うことができる。なお、調光制御および調色制御において、明るさまたは光源色が連続して変化する調光制御または調色制御、並びにステップ状に変化する調光制御または調色制御のいずれをも含み、ほぼ連続して明るさまたは光源色が変化するような印象を与えるように調光制御または調色制御できることを意味する。また、制御回路１１２は、リモコン送信器Ｒｃからの信号に基づいて、光源部２の光源色の色温度を所望値に変更したり、連続的に光源部２の光源色の色温度を変化させて所望の光色になったときにその変化を停止させて選択したりすることができるようにすることもできる。さらに、制御回路１１２は、各点灯回路を同期させて調光制御または調色制御してもよいし、非同期により調光制御または調色制御させてもよい。
【０１０５】
また、白色光源点灯回路１０７、１０８ａ、１０９ａは、振幅制御した連続電流による調光動作とＰＷＭ制御したＰＷＭ電流とによる調光動作とを行うべく構成されている。また、本実施例においては、振幅制御の場合には検出回路１０７ａにより検出される電流値を用いて制御を行い、ＰＷＭ制御の場合にも検出回路１０７ａにより検出される電流値を用いて制御を行う。
【０１０６】
制御回路１１２は、制御回路用電源回路１０３により電源を供給されて動作する。制御回路１１２は、白色光源点灯回路１０７、電球色光源点灯回路１０８および間接光光源点灯回路１０９によって検出された発光素子５２、７２Ｎおよび７２Ｌに流れる電流値および印加される電圧値に基づき、白色光源点灯回路１０７、電球色光源点灯回路１０８および間接光光源点灯回路１０９に制御信号を送出することにより、白色光源点灯回路１０７、電球色光源点灯回路１０８および間接光光源点灯回路１０９をそれぞれ点灯制御する。また、制御回路１１２は、リモコン信号受光部１０４および光センサ１０５からの信号を受信可能に接続されている。リモコン信号受光部１０４は、リモコン送信器Ｒｃの操作により送出される受信するとともに受信信号に基づく信号を制御回路１１２に送出する。リモコン送信器Ｒｃとリモコン信号受光部１０４との通信を行うための媒体は、実施例１においては赤外線を用いているが、電波など既知の各種媒体を通信媒体とすることもできるとともに有線による通信であっても構わない。また、光センサ１０５は、照明装置１０００の設置された照明空間の照度を検出するとともに、検出値に基づく信号を制御回路１１２に送出する。
【０１０７】
リモコン送信器Ｒｃを操作することまたは壁面に配設したスイッチＳＷを操作することにより、所望の光源部２および間接光光源部５の点灯制御を行うことができる。リモコン送信器Ｒｃには、光源部２間接光光源部５の点灯制御を行うために例えば全光点灯スイッチ、光出力増加スイッチ、光出力減少スイッチ、消灯スイッチ、発光素子７２Ｎおよび７２Ｌによる光源部２の光源色の色温度増加スイッチおよび色温度減少スイッチを配設することができる。
【０１０８】
実施例１の照明装置１０００の電源装置３の動作について説明する。
【０１０９】
本発明の実施例１の照明装置１０００の電源装置３の動作について図１１、図１３および図１４を参照して説明する。また、同一部分には同一符号を付し、重複した説明は省略する。
【０１１０】
図１１に示すように、電源装置３の出力側には電源接続端Ｃｎ３が設けられる。また、光源部２には電源接続端に電気的に接続する光源接続端Ｃｎ２が設けられる。光源接続端Ｃｎ２には光源部２と電源装置３の接続状態を検出するための接続検出回路１００が接続される。接続検出回路１００の光源接続端Ｃｎ２が接続された側と反対側には接続検出回路接続端Ｃｎ５が接続される。接続検出回路接続端Ｃｎ５には発光素子接続端Ｃｎ４が電気的に接続される。発光素子接続端Ｃｎ４には、発光素子７２Ｎおよび７２Ｌが接続される。発光素子７２Ｎおよび７２Ｌには、電源装置３から電源接続端Ｃｎ３、光源接続端Ｃｎ２、接続検出回路１００、接続検出回路接続端Ｃｎ５および発光素子接続端Ｃｎ４を順に介して電力が供給される。
【０１１１】
電圧検出回路１０７ｂ、１０８ｂおよび１０９ｂには電圧を検出するための抵抗Ｒ１が設けられる。また、接続検出回路１００には電圧を検出するための抵抗Ｒ２が設けられる。電圧検出回路１０７ｂおよび１０８ｂは、抵抗Ｒ１および抵抗Ｒ２により発光素子７２Ｎおよび７２Ｌに印加される電圧値（ＶＦ）を検出する。
【０１１２】
光源接続端Ｃｎ２と電源接続端Ｃｎ３との接続状態は、電圧検出回路１０７ｂおよび１０８ｂにより電圧値（ＶＦ）を検出することにより検出および判断される。光源接続端Ｃｎ２と電源接続端Ｃｎ３との接続状態が正常でない場合には、光源接続端Ｃｎ２と電源接続端Ｃｎ３との間の抵抗値ΔＲが変化する。抵抗値ΔＲが変化すると電圧値（ＶＦ）が変動するので、この電圧値（ＶＦ）の変動を検出することにより光源接続端Ｃｎ２と電源接続端Ｃｎ３との接続状態が検出および判断される。
【０１１３】
光源接続端Ｃｎ２と電源接続端Ｃｎ３との接続状態が正常か否かの判断は、電圧検出回路１０７ｂおよび１０８ｂにより検出された電圧値（ＶＦ）を固定された閾値と比較することにより行われてもよいし、検出された電圧値（ＶＦ）をサンプリングし平均化することにより決定された閾値と電圧検出回路１０７ｂおよび１０８ｂにより検出された電圧値（ＶＦ）を比較することにより行われてもよい。また、電圧検出回路１０７ｂおよび１０８ｂにより検出された電圧値（ＶＦ）の増減に基づく変動幅、単位時間当たりの変化量に基づいて行われてもよい。
【０１１４】
次に、電源装置３の動作について、図１４を参照してさらに詳細に説明する。
【０１１５】
外部電源と照明装置１０００の間に設けられたスイッチＳＷ（図１１参照）が操作され、電源装置３に外部電源から電力の供給が開始される（図１４のステップＳ１）と白色光源点灯回路１０７および電球色光源点灯回路１０８にそれぞれ設けられた電圧検出回路１０７ｂおよび１０８ｂにより電圧値（ＶＦ）の検出が行われる。制御回路１１２は、電圧検出回路１０７ｂおよび１０８ｂにより検出された電圧値（ＶＦ）と装着検出閾値を比較し、光源部２が電源装置３に接続されているか否か、すなわち、電源接続端Ｃｎ３と光源接続端Ｃｎ２とが接続されているか否かを判断する（図１４のステップＳ２）。装着検出閾値は、光源部２が電源装置３に正常に接続されているときの電圧値（ＶＦ）と光源部２が電源装置３に接続されていないときの電圧値（ＶＦ）との間で定められる電圧値である。装着検出閾値は、固定された閾値であってもよいし、検出された電圧値（ＶＦ）をサンプリングし平均化することにより決定された閾値であってもよい。
【０１１６】
ステップＳ２により、光源部２が電源装置３に接続されていると判断された場合には、電源装置３は動作を開始する、すなわち、白色光源点灯回路１０７および電球色光源点灯回路１０８のスイッチング素子Ｑはスイッチング動作を開始する（図１４のステップＳ３）。一方、光源部２が電源装置３に接続されていないと判断された場合には、電源装置３は動作を開始しない（図１４のステップＳ４）。ステップＳ４の動作は、スイッチＳＷがオンしている間は継続される、すなわち、スイッチＳＷがオフするまで継続される。
【０１１７】
ステップＳ３により、電源装置３の動作が開始されると、白色光源点灯回路１０７および電球色光源点灯回路１０８にそれぞれ設けられた電圧検出回路１０７ｂおよび１０８ｂにより電圧値（ＶＦ）の検出が行われる。制御回路１１２は、電圧検出回路１０７ｂおよび１０８ｂにより検出された電圧値（ＶＦ）と接続検出閾値を比較し、光源部２と電源装置３とが正常に接続されているか否か、すなわち、電源接続端Ｃｎ３と光源接続端Ｃｎ２とが正常に接続されているか否かを判断する（図１４のステップＳ６）。光源接続端Ｃｎ２と電源接続端Ｃｎ３との接続状態が正常か否かの判断は、電圧検出回路１０７ｂおよび１０８ｂにより検出された電圧値（ＶＦ）を固定された閾値と比較することにより行われてもよいし、検出された電圧値（ＶＦ）をサンプリングし平均化することにより決定された閾値と電圧検出回路１０７ｂおよび１０８ｂにより検出された電圧値（ＶＦ）を比較することにより行われてもよい。
【０１１８】
ステップＳ６により、光源部２と電源装置３との接続状態が正常と判断された場合には、電源装置３は動作を継続する、すなわち、白色光源点灯回路１０７電球色光源点灯回路１０８のスイッチング素子Ｑはスイッチング動作を継続する（図１４のステップＳ７）。一方、光源部２と電源装置３との接続状態が異常と判断された場合には、電源装置３は動作を停止する（図１４のステップＳ８）。ステップＳ８の動作は、スイッチＳＷがオンしている間は継続される、すなわち、スイッチＳＷがオフするまで継続される。
【０１１９】
実施例１の照明装置の効果を以下に示す。
【０１２０】
実施例１の照明装置１０００によれば、光源部２と電源装置３とが正常に接続されているか否か、すなわち、電源接続端Ｃｎ３と光源接続端Ｃｎ２とが正常に接続されているか否かを検出するための接続検出回路１００を有しているので、光源部２と電源装置３との接続が異常状態となった場合に出力を停止させることができる。
【０１２１】
実施例１の照明装置１０００によれば、光源部２と電源装置３との接続が異常状態となった場合に出力を停止させることができるので、電源接続端Ｃｎ３と光源接続端Ｃｎ２との電気的接触異常による電源接続端Ｃｎ３および光源接続端Ｃｎ２の発熱、溶融、発火等の発生を低減させることができる。
【０１２２】
実施例１の照明装置１０００によれば、電源接続端Ｃｎ３および光源接続端Ｃｎ２の発熱、溶融、発火等の発生を低減させることができるので、照明装置１０００の安全性を高めることができる。
【０１２３】
実施例１の照明装置１０００によれば、電線が不用意にはみ出すことなく、配線処理を円滑に行うことができる。
【０１２４】
実施例１の照明装置１０００によれば、導光板８の入射端面８１の近傍に拡散部材８５が配設されているので、入射端面８１の近傍における輝度むらや色むらを外観上軽減することが可能となる。なお、実施例１においては、電源装置３を取付部材１側に配設する場合について説明したが、電源装置３を光源部２側に配設することを妨げるものではない。
【０１２５】
実施例１の照明装置１０００によれば、発光素子７２Ｎ、７２Ｌの温度上昇を効果的に抑制できる照明装置を提供することが可能となる。
実施例１の変形例を以下に述べる。
【０１２６】
照明装置１０００は、発光素子接続端Ｃｎ４と発光素子７２Ｎ、７２Ｌとを有する光源部２と、電源接続端Ｃｎ３と発光素子７２Ｎ、７２Ｌを点灯する白色光源点灯回路１０７、電球色光源点灯回路１０８と白色光源点灯回路１０７、電球色光源点灯回路１０８を制御する制御回路１１２とを有する電源装置３と、電源接続端Ｃｎ３に接続する光源接続端Ｃｎ２と発光素子接続端Ｃｎ４に接続する接続検出回路接続端Ｃｎ５とを有し光源接続端Ｃｎ２と電源接続端Ｃｎ３との接続状態を検出する接続検出回路１００とを具備する照明システムであってもよく、その場合、制御回路１１２は、接続検出回路１００の検出結果が変化すると、発光素子７２Ｎ、７２Ｌが所定の点灯制御を行うように白色光源点灯回路１０７、電球色光源点灯回路１０８を制御する。この照明システムにおいて、接続検出回路１００は、光源部２に設けられてもよいし、電源装置３に設けられてもよい。また、接続検出回路１００は光源部２および電源装置３と別個に設けられてもよい。
【０１２７】
上記照明システムは、発光素子７２Ｎ、７２Ｌの個数や特性が異なる光源部２を電源装置３に接続することができる。よって、光源部２が故障した場合や使用者が光源部２を交換したい場合などに、複雑な操作なしに光源部２を交換することができる。
【０１２８】
上記照明システムは、光源部２を交換した場合に変化する接続検出閾値または装着検出閾値に応じて、接続検出回路１００を交換することができる。よって、制御回路１１２内に接続検出閾値または装着検出閾値が記憶されている場合には、制御回路１１２内のそれら閾値のデータを書き換える必要がない。また、接続検出回路１００が故障した場合にも上記照明システムは接続検出回路１００を容易に交換することができる。
【０１２９】
光源部２において、発光素子７２Ｎ、７２Ｌと接続検出回路とは接続検出回路接続端Ｃｎ５および発光素子接続端Ｃｎ４を介して接続されてもよいし、直接接続されてもよい。
【０１３０】
なお、例えば、温度検知素子を用いて、接続部分における発熱を感知し、光源接続端Ｃｎ２と電源接続端Ｃｎ３との接続状態を検出するようにしてもよく、接続検出回路１００の構成は、特段のものに限定されるものではない。光源接続端Ｃｎ２と電源接続端Ｃｎ３との接続が不完全な状態で行われる場合には、接続部分において発熱するという問題が発生するが、温度検知素子を用いた場合には接続部分の発熱を回避でき、安全性を確保することが可能となる。
【０１３１】
実施例１の照明装置１０００においては、係止結合手段としては、ヒンジ構造を適用し、光源部２を取付部材１の前面側に開閉可能に取付けるようにしてもよい。さらに、例えば、外フレームの対向する両辺にクランプ金具を設けるようにして光源部２を取付部材１に対して着脱できるようにしてもよい。この場合にも取付部材１の前面側は、光源部２によって開閉可能となる。このように、係止結合手段は種々の構成が適用でき、格別特定のものに限定されるものではない。
【０１３２】
実施例１の照明装置１０００においては、四角形状に形成された導光板を用い、発光面が略四角形状に形成される場合について説明したが、例えば、導光板を六角形や八角形等に形成し、これらの各辺に対応して発光素子を配置するとともに、前フレームを円形状に形成し、導光板の発光面が円形状に露出されるようにして、円形状の発光面が形成されるように構成することもできる。
【０１３３】
また、実施例１の照明装置１０００は、導光板を用いて照明を行う照明装置に好適であるが、これに限らない。導光板を用いない照明装置についても適用可能である。さらに、光源としては、ＬＥＤ等の発光素子を用いる場合に好適であるが、格別限定されるものではない。蛍光ランプ等を用いる場合であってもよい。
【０１３４】
本発明のいくつかの実施形態を説明したが、これらの実施形態または実施例は、例として提示したものであり、発明の範囲を限定することは意図していない。これら新規な実施形態または実施例は、その他の様々な形態で実施されることが可能であり、発明の要旨を逸脱しない範囲で、種々の省略、置き換え、変更を行うことができる。これら実施形態または実施例やその変形は、発明の範囲や要旨に含まれるとともに、特許請求の範囲に記載された発明とその均等の範囲に含まれる。
【符号の説明】
【０１３５】
２・・・光源部
３・・・電源装置
Ｃｎ２・・・光源接続端
Ｃｎ３・・・電源接続端
７２Ｎ、７２Ｌ・・・発光素子（ＬＥＤ）
１００・・・接続検出手段
１０７、１０８、１０９・・・光源点灯回路
１１２・・・制御回路
１０００・・・照明装置
【図１】
2013164976.tif 000003
【図２】
2013164976.tif 000004
【図３】
2013164976.tif 000005
【図４】
2013164976.tif 000006
【図５】
2013164976.tif 000007
【図６】
2013164976.tif 000008
【図７】
2013164976.tif 000009
【図８】
2013164976.tif 000010
【図９】
2013164976.tif 000011
【図１０】
2013164976.tif 000012
【図１１】
2013164976.tif 000013
【図１２】
2013164976.tif 000014
【図１３】
2013164976.tif 000015
【図１４】
2013164976.tif 000016